(57)【要約】【課題】住宅用建物の換気システムに使用される換気装置において、建物の設計に天井をふかすなどの配慮が不要な換気装置を提供することおよび、住宅でのメンテナンス箇所を減らすことができ、また、屋外用端末部材を減らしエクステリアの美観を向上することのできる換気装置を提供することを目的とする。【解決手段】建物の壁に開設した給気口４から屋外空気を導入し、建物の複数の居室１７に連通するダクトを天井裏１４を経由して接続した換気装置であり、天井裏１４から屋外２へのダクト施工が困難な住宅などの建物において壁３に設けた給気口４から直接屋外空気を導入し、天井裏１４に配設したダクトにより各居室１７へ分配給気することにより、建物の設計に天井をふかすなどの配慮が不要となり施工性を向上でき、また、住宅でのメンテナンス箇所を減らすことができ、屋外用端末部材を減らしエクステリアの美観を向上することができる換気装置が得られる。【選択図】図１
2008008501.tif 000002
【特許請求の範囲】
【請求項１】
建物の壁に開設した給気口と、この給気口を覆うように取り付けられる箱状で前記給気口と連通する開口を背面に備えた枠体と、この枠体内に送風装置とフィルターを配設し、装置本体を構成するとともに前記枠体の複数の側面の１つにはダクト接続口を開設し、このダクト接続口に前記送風装置の吐出部を連通させ、前記ダクト接続口には建物の複数の居室に連通するダクトを建物の天井裏を経由して接続した屋外空気を給気する換気装置。
【請求項２】
給気空気を建物の複数の居室へ分配する分岐箱を設け、この分岐箱と枠体のダクト接続口を第１のダクトで連通させ、前記分岐箱と建物の複数の居室を複数の第２のダクトによって連通する請求項１記載の換気装置。
【請求項３】
枠体の複数の側面のうちの上側面にダクト接続口を開設した請求項１記載の換気装置。
【請求項４】
枠体の上側面と天井面の間に第１のダクトを覆うダクトカバーを設け、このダクトカバーは枠体の上側面と天井面との間のダクトが隠れる長さに切断加工する構成とした請求項３記載の換気装置。
【請求項５】
居室に設けられ、風量調節装置を備えた給気吐出口を第２のダクトの終端に構成した請求項２記載の換気装置。
【請求項６】
ダクトにフレキシブルチューブを用いた請求項１から４のいずれかに記載の換気装置。
【請求項７】
装置本体を建物の非居住部分である物入れの屋外に面した壁に取り付けてなる請求項１記載の換気装置。
【請求項８】
フィルター部分と送風装置を平面状に並べて枠体内に配設し、枠体背面から導入した屋外空気をフィルターで濾過した後、前記枠体の手前側空間を経由し送風装置の吸い込み側へ至る流路構成とした請求項１記載の換気装置。
【請求項９】
枠体内の給気口と連通する開口に開閉自在のシャッターを備えた請求項１記載の換気装置。
【請求項１０】
枠体内に備えたフィルターを、枠体下側面より工具を用いず着脱自在に構成した請求項１記載の換気装置。
【請求項１１】
フィルターを粗塵フィルターと微細なほこりを吸着する静電気帯電フィルターの２段構成とした請求項１または１０記載の換気装置。
【請求項１２】
粗塵フィルター通過後の給気空気に、高電圧荷電装置を通した後、下流側に静電気帯電フィルターまたは高電圧を印加した荷電フィルターを配設する構成とした請求項１または１０記載の換気装置。
【発明の詳細な説明】
【技術分野】
【０００１】
本発明は、住宅用建物の換気システムに使用される換気装置に関する。
【背景技術】
【０００２】
従来、この種の換気装置は、天井裏に給排気換気装置を設け、各居室に強制給気口を設け、強制排気口を階段室や廊下の天井に設け、換気システムを構成したものが知られている（例えば特許文献１参照）。
【０００３】
以下、その換気装置について図６を参照しながら説明する。
【０００４】
図に示すように、給排気換気装置１０１は天井裏に設けられ、ダクトＡ１０２を軒天１０３より低い位置へ天井をふかせて通し、外壁に設けられた屋外端末部材１０４から新鮮な屋外空気を導入し、ダクトＢ１０５を通して各居室の天井に設けられた強制給気口１０６から室内に供給される。居室内の空気はドアアンダーカット１０７を通り、階段室天井に設けられた強制排気口１０８から給排気換気装置１０１からダクトＣ１０９を通じて屋外端末部材１１０から排出されることにより、第１種換気が行われるようになされている。
【０００５】
また、従来の他の換気装置には、給気用換気扇を各居室に設け、排気用換気扇をトイレや洗面所，浴室，階段室などの非居室に設け、換気システムを構成したものが知られている（例えば、特許文献２参照）。
【０００６】
以下、その換気装置と換気システムについて図７を参照しながら説明する。
【０００７】
図に示すように、給気用換気装置１１１は各居室の外壁に接する壁面に個別に設けられ、排気用換気装置１１２はトイレと階段ホールに設けられる。給気用換気装置１１１および排気用換気装置１１２の外壁面には屋外端末部材（図示せず）が設けられている。この換気システムにおいて新鮮な屋外空気は給気用換気装置１１１から各居室内に入り、各居室に設けられたドア１１３のアンダーカットを通り排気用換気装置１１２により屋外に排出されることにより、第１種換気が行われるようになされている。
【特許文献１】特開２００４−２５７７０８号公報（第７頁、第３図）
【特許文献２】特開２００２−１３０７５４号公報（第１３頁、第２図）
【発明の開示】
【発明が解決しようとする課題】
【０００８】
このような従来の換気装置では、天井裏から屋外へのダクト施工において桁や胴差に阻まれ、更に外壁に設けられる屋外端末部材を軒天に干渉しない高さに設ける必要があることから、直線的にダクトを配管することが困難であり、建物の設計の際に天井をふかすなどの配慮する必要があるという課題があり、建物の設計に天井をふかすなどの影響を与えない施工性を有することが要求されている。
【０００９】
本発明は、このような従来の課題を解決するものであり、建物の設計に天井をふかすなどの影響を与えない施工性を有する換気装置を提供することを目的としている。
【００１０】
また、従来の他の換気装置では、給気用換気装置を各居室ごとに設けているため、メンテナンスが煩雑になるという課題があり、住宅でのメンテナンス箇所を減らすことが要求されている。
【００１１】
また、各居室ごとに給気用換気装置を設けているため、それに対する屋外用端末部材が多くなり、エクステリアの美観が損なわれるという課題があり、屋外用端末部材を減らしエクステリアの美観を向上することが要求されている。
【００１２】
本発明は、このような従来の課題を解決するものであり、住宅でのメンテナンス箇所を減らすことができ、また、屋外用端末部材を減らしエクステリアの美観を向上することのできる換気装置を提供することを目的としている。
【課題を解決するための手段】
【００１３】
本発明の換気装置は上記目的を達成するために、建物の壁に開設した給気口と、この給気口を覆うように取り付けられる箱状で前記給気口と連通する開口を背面に備えた枠体と、この枠体内に送風装置とフィルターを配設し、装置本体を構成するとともに前記枠体の複数の側面の１つにはダクト接続口を開設し、このダクト接続口に前記送風装置の吐出部を連通させ、前記ダクト接続口には建物の複数の居室に連通するダクトを建物の天井裏を経由して接続した屋外空気を給気する構成としたものである。
【００１４】
この手段により建物の設計に天井をふかすなどの影響を与えない施工性を有することができ、また、住宅でのメンテナンス箇所を減らすことができ、屋外用端末部材を減らしエクステリアの美観を向上することのできる換気装置が得られる。
【００１５】
また、他の手段は、給気空気を建物の複数の居室へ分配する分岐箱を設け、この分岐箱と枠体のダクト接続口を第１のダクトで連通させ、前記分岐箱と建物の複数の居室を複数の第２のダクトによって連通するものである。
【００１６】
この手段により天井面に開設するダクト貫通口を１ヶ所にでき、また、室内の美観を向上するとともに施工手間も軽減することのできる換気装置が得られる。
【００１７】
また、他の手段は、枠体の複数の側面のうちの上側面にダクト接続口を開設したものである。
【００１８】
この手段により室内側に露出するダクトを最も短くすることができ、室内の美観を更に向上することのできる換気装置が得られる。
【００１９】
また、他の手段は、枠体の上側面と天井面の間に第１のダクトを覆うダクトカバーを設け、このダクトカバーは枠体の上側面と天井面との間のダクトが隠れる長さに切断加工する構成としたものである。
【００２０】
この手段により枠体の上側面と天井面との間のダクトを隠す施工を容易に行い、室内の美観を向上することのできる換気装置が得られる。
【００２１】
また、他の手段は、居室に設けられ、風量調節装置を備えた給気吐出口を第２のダクトの終端に構成したものである。
【００２２】
この手段により複数の給気吐出口間で各居室の容積に応じて給気風量を適正に分配することのできる換気装置が得られる。
【００２３】
また、他の手段は、ダクトにフレキシブルチューブを用いたものである。
【００２４】
この手段によりフレキシブルチューブの可撓性によってダクト配設や接続の施工を容易でかつ安価にすることができ、エルボなどの別部品の接合が不要で継ぎ目無く一体であるため空気搬送のロスを少なくすることのできる換気装置が得られる。
【００２５】
また、他の手段は、装置本体を建物の非居住部分である物入れの屋外に面した壁に取り付けたものである。
【００２６】
この手段により常時は換気装置の存在を意識することがなく、室内の美観を向上するとともに通常の居室空間での装置からの騒音を低減することのできる換気装置が得られる。
【００２７】
また、他の手段は、フィルター部分と送風装置を平面状に並べて枠体内に配設し、枠体背面から導入した屋外空気をフィルターで濾過した後、前記枠体の手前側空間を経由し送風装置の吸い込み側へ至る流路構成としたものである。
【００２８】
この手段により装置本体の前後方向の厚みを薄くすることができ、室内の美観を向上することのできる換気装置が得られる。
【００２９】
また、他の手段は、枠体内の給気口と連通する開口に開閉自在のシャッターを備えたものである。
【００３０】
この手段により暴風雨時などに最も屋外側に近い部位で雨水の浸入を防止することのできる換気装置が得られる。
【００３１】
また、他の手段は、枠体内に備えたフィルターを、枠体下側面より工具を用いず着脱自在に構成したものである。
【００３２】
この手段により室内の高所に装置本体を設置した場合にも、容易にフィルターのメンテナンスを行うことのできる換気装置が得られる。
【００３３】
また、他の手段は、フィルターを粗塵フィルターと微細なほこりを吸着する静電気帯電フィルターの２段構成としたものである。
【００３４】
この手段によりフィルターが目詰まりに至るまでの時間を長くすることができ、メンテナンスの周期を長くすることのことのできる換気装置が得られる。
【００３５】
また、他の手段は、粗塵フィルター通過後の給気空気に、高電圧荷電装置を通した後、下流側に静電気帯電フィルターまたは高電圧を印加したフィルターを配設する構成としたものである。
【００３６】
この手段により圧力損失が小さなフィルターでありながら効率のよい集塵フィルターとなるため、空気搬送のロスを少なくすることのできる換気装置が得られる。
【発明の効果】
【００３７】
本発明によれば建物の設計に天井をふかすなどの影響を与えない施工性を有することができ、また、住宅でのメンテナンス箇所を減らすことができ、屋外用端末部材を減らしエクステリアの美観を向上することのできるという効果のある換気装置を提供できる。
【００３８】
また、天井面に開設するダクト貫通口を１ヶ所にでき、また、室内の美観を向上するとともに施工手間も軽減することのできる効果のある換気装置を提供できる。
【００３９】
また、室内側に露出するダクトを最も短くすることができ、室内の美観を更に向上することのできる効果のある換気装置を提供できる。
【００４０】
また、枠体の上側面と天井面との間のダクトを隠す施工を容易に行い、室内の美観を向上することのできる換気装置を提供できる。
【００４１】
また、複数の給気吐出口間で各居室の容積に応じて給気風量を適正に分配することのできる効果のある換気装置を提供できる。
【００４２】
また、フレキシブルチューブの可撓性によってダクト配設や接続の施工を容易で安価にすることができ、エルボなどの別部品の接合が不要で継ぎ目無く一体であるため空気搬送のロスを少なくすることのできる効果のある換気装置を提供できる。
【００４３】
また、常時は換気装置の存在を意識することがなく、室内の美観を向上するとともに通常の居室空間での装置からの騒音を低減することのできる効果のある換気装置を提供できる。
【００４４】
また、装置本体の前後方向の厚みを薄くすることができ、室内の美観を向上することのできる効果のある換気装置を提供できる。
【００４５】
また、暴風雨時などに最も屋外側に近い部位で雨水の浸入を防止することのできる効果のある換気装置を提供できる。
【００４６】
また、室内の高所に装置本体を設置した場合にも、容易にフィルターのメンテナンスを行うことのできる効果のある換気装置を提供できる。
【００４７】
また、フィルターが目詰まりに至るまでの時間を長くすることができ、メンテナンスの周期を長くすることのできる効果のある換気装置を提供できる。
【００４８】
また、圧力損失が小さなフィルターでありながら効率のよい集塵フィルターとなるため、空気搬送のロスを少なくすることのできる効果のある換気装置を提供できる。
【発明を実施するための最良の形態】
【００４９】
本発明の請求項１記載の発明は、建物の壁に開設した給気口と、この給気口を覆うように取り付けられる箱状で前記給気口と連通する開口を背面に備えた枠体と、この枠体内に送風装置とフィルターを配設し、装置本体を構成するとともに前記枠体の複数の側面の１つにはダクト接続口を開設し、このダクト接続口に前記送風装置の吐出部を連通させ、前記ダクト接続口には建物の複数の居室に連通するダクトを建物の天井裏を経由して接続した屋外空気を給気するものであり、天井裏から屋外へのダクト施工が困難な住宅などの建物において壁に設けた給気口から直接屋外空気を導入し、この空気を浄化処理すると共に、天井裏に配設したダクトにより各居室へ分配給気することとなり、建物の設計に天井をふかすなどの影響を与えない施工性を有することができ、また、住宅でのメンテナンス箇所を減らすことができ、屋外用端末部材を減らしエクステリアの美観を向上することができるという作用を有する。
【００５０】
また、請求項２記載の発明は、給気空気を建物の複数の居室へ分配する分岐箱を設け、この分岐箱と枠体のダクト接続口を第１のダクトで連通させ、前記分岐箱と建物の複数の居室を複数の第２のダクトによって連通するものであり、装置本体から出る給気空気を１本の第１のダクトのみとすることにより、天井面に開設するダクト貫通口を１ヶ所にでき、また、室内の美観を向上するとともに施工手間も軽減することができる。
【００５１】
また、請求項３記載の発明は、枠体の複数の側面のうちの上側面にダクト接続口を開設したものであり、装置本体と天井が最も近接した部分にダクト接続口を開設することとなり、室内側に露出するダクトを最も短くすることができ、室内の美観を更に向上することができる。
【００５２】
また、請求項４記載の発明は、枠体の上側面と天井面の間に第１のダクトを覆うダクトカバーを設け、このダクトカバーは枠体の上側面と天井面との間のダクトが隠れる長さに切断加工する構成としたものであり、ダクトカバーを押し出し成型により樹脂成型することにより、施工現場においてダクトを覆う寸法に切断することとなり、枠体の上側面と天井面との間のダクトを隠す施工を容易に行い、室内の美観を向上することができる。
【００５３】
また、請求項５記載の発明は、居室に設けられ、風量調節装置を備えた給気吐出口を第２のダクトの終端に構成したものであり、分岐箱により複数の各居室に至る給気空気は、その第２のダクトの長さの差などによって圧力損失が異なるため風量に差異を生じるが、分岐箱以降の圧力損失を調整することとなり、複数の給気吐出口間で各居室の容積に応じて給気風量を適正に分配することができる。
【００５４】
また、請求項６記載の発明は、ダクトにフレキシブルチューブを用いたものであり、フレキシブルチューブの可撓性によってダクト配設や接続の施工を容易で安価にすることができ、ダクトの曲げ部などもエルボなどの別部品の接合が不要で継ぎ目無く一体であるため圧力損失が小さくなり、空気搬送のロスを少なくすることができる。
【００５５】
また、請求項７記載の発明は、装置本体を建物の非居住部分である物入れの屋外に面した壁に取り付けたものであり、装置本体に給気口を設けないため、装置本体の設置場所を通常の居室空間内とする必要が無く、常時使用しない住宅の部位に設置することとなり、常時は換気装置の存在を意識することがなく、室内の美観を向上するとともに通常の居室空間での装置からの騒音を低減することができる。
【００５６】
また、請求項８記載の発明は、フィルター部分と送風装置を平面状に並べて枠体内に配設し、枠体背面から導入した屋外空気をフィルターで濾過した後、前記枠体の手前側空間を経由し送風装置の吸い込み側へ至る流路構成としたものであり、送風装置とフィルターを平面状に並べて配設することとなり、装置本体の前後方向の厚みを薄くすることができ、室内の美観を向上することができる。
【００５７】
また、請求項９記載の発明は、枠体内の給気口と連通する開口に開閉自在のシャッターを備えたものであり、シャッターを閉鎖することにより建物に開設した給気口からの空気を遮断することとなり、暴風雨時などに最も屋外側に近い部位で雨水の浸入を防止することができる。
【００５８】
また、請求項１０記載の発明は、枠体内に備えたフィルターを、枠体下側面より工具を用いず着脱自在に構成したものであり、室内の高所に装置本体を設置した場合にも、容易にフィルターのメンテナンスを行うことすることができる。
【００５９】
また、請求項１１記載の発明は、フィルターを粗塵フィルターと微細なほこりを吸着する静電気帯電フィルターの２段構成としたものであり、屋外空気に含まれる粉塵の濾過を、虫や土埃等の比較的大きな粉塵を濾過する圧力損失の小さな粗塵フィルターと花粉やディーゼル粉塵などの微細な粉塵を濾過するやや圧力損失の大きな静電気帯電フィルターに分離することとなり、フィルターが目詰まりに至るまでの時間を長くすることができ、メンテナンスの周期を長くすることのことができる。
【００６０】
また、請求項１２記載の発明は、粗塵フィルター通過後の給気空気に、高電圧荷電装置を通した後、下流側に静電気帯電フィルターまたは高電圧を印加したフィルターを配設する構成としたものであり、高電圧荷電装置により花粉やディーゼル粉塵などの微細な粉塵を帯電させた後、比較的圧力損失の小さな静電気帯電フィルターまたは高電圧を印加したフィルターで濾過することとなり、圧力損失の小さなフィルターでありながら効率のよい集塵フィルターとなるため、空気搬送のロスを少なくすることができる。
【００６１】
以下、本発明の実施の形態について図面を参照しながら説明する。
【００６２】
（実施の形態１）
図１および図２に示すように、建物の非居住部分である物入れ１の屋外２に面した壁３に開設した給気口４と、この給気口４を覆うように取り付けられる箱状で給気口４と連通する開閉自在のシャッター５を備えた開口６を背面に備えた箱状の枠体７と、この枠体７内に送風装置８とフィルター９を平面状に並べて配設し、枠体７背面から導入した屋外空気をフィルター９で濾過した後、枠体７の手前側空間１０を経由し送風装置８の吸い込み側１１へ至る流路構成として装置本体１２を構成するとともに枠体７の複数の側面のうちの一つの側面であって、上側に位置する上側面にダクト接続口１３を開設し、このダクト接続口１３に送風装置８の吐出部（図示せず）を連通させる。また、ダクト接続口１３と建物の天井裏１４に配設する分岐箱１５は、１本のフレキシブルチューブからなる第１のダクト１６で天井を貫通して連通させ、分岐箱１５と建物の複数の居室１７は、複数のフレキシブルチューブからなる第２のダクト１８によって連通するとともに給気空気を分岐箱１５で分配して、第２のダクト１８の終端となる居室１７には風量調節装置（図示せず）を備えた給気吐出口１９を配設し構成する。そして、第１のダクトの室内露出部分を、枠体７と天井面２０との間の寸法に合わせてダクトカバー２１を切断し、覆い隠して構成する。
【００６３】
上記構成において、送風装置８が運転されると、壁３の屋外２側の軒天２２に干渉しない高さに設置した屋外用端末部材２３から給気口４を通じて屋外空気が開口６に給気され、フィルター９で浄化処理された後、手前側空間１０を経由し吸い込み側１１へ至り、送風装置８により吐出部（図示せず）からダクト接続口１３へ装置本体１２から送り出される。ダクト接続口１３から第１のダクト１６を通った給気空気は分岐箱１５で分配され、第２のダクト１８を通じて給気吐出口１９から居室１７に給気される。給気空気は給気吐出口１９に備えられた風量調節装置（図示せず）により給気風量を適正に分配されて給気換気が行われる。暴風雨時にはシャッター５を閉鎖することにより建物に開設した給気口からの空気を遮断する。
【００６４】
そして、天井裏１４から屋外２へのダクト施工が困難な住宅などの建物において、屋外端末部材２３と軒天２２が干渉しない位置へ給気口４を設けて、屋内側の壁に装置本体１２を設置することで、建物の施工においてダクト配管のために天井をふかす等の工事をなくしても壁３に設けた給気口４から直接屋外空気を導入し、この屋外空気を浄化処理すると共に、天井裏１４に配設した第２のダクト１８により各居室１７へ分配給気することができ、施工性の向上が図れる。また、一つの装置本体１２で複数の部屋へ給気空気を送風することができるため、住宅単位での装置本体１２やフィルター９のメンテナンス箇所を減らすことができ、屋外端末部材２３の使用数も減らしてエクステリアの美観を向上することができる。
【００６５】
また、装置本体１２から出る給気空気を１本の第１のダクト１６のみとすることにより、天井面に開設するダクト貫通口２４を１ヶ所にでき、また、室内の美観を向上するとともに施工手間も軽減することができる。
【００６６】
また、室内側に露出する第１のダクト１６は、枠体７の上側面のダクト接続口１３に接続して天井を貫通するので最も短くすることができ、室内の美観を更に向上することができる。
【００６７】
また、室内側に露出する第１のダクト１６をダクトカバー２１で覆い隠すことができ、枠体７の上側面と天井面２０との間のダクトを隠す施工を容易に行い、室内の美観を向上することができる。
【００６８】
また分岐箱１５により複数の各居室１７に至る給気空気は、その第２のダクト１８の長さの差などによって圧力損失が異なるため風量に差異を生じるが、風量調節装置（図示せず）により分岐箱１５以降の圧力損失を調整することとなり、複数の給気吐出口１９間で各居室１７の容積に応じて給気風量を適正に分配することができる。
【００６９】
また、フレキシブルチューブの可撓性によってダクト配設や接続の施工を容易で安価にすることができ、ダクトの曲げ部などもエルボなどの別部品の接合が不要で継ぎ目無く一体であるため圧力損失が小さくなり、空気搬送のロスを少なくすることができる。
【００７０】
また、装置本体１２に居室へ直接開口する吐出口を設けないため、装置本体１２の設置場所を通常の居室空間内とする必要が無く、常時使用しない住宅の部位に設置することとなり、常時は換気装置の存在を意識することがなく、室内の美観を向上するとともに、装置本体１２から発生する騒音の居室空間への影響を低減することができる。
【００７１】
また、送風装置８とフィルター９を平面状に並べて配設することとなり、装置本体１２の前後方向の厚みを薄くすることができ、室内の美観を向上することができる。
【００７２】
また、シャッター５を閉鎖することにより建物に開設した給気口４からの空気を遮断することとなり、暴風雨時などに最も屋外側に近い部位で雨水の浸入を防止することができる。
【００７３】
なお、実施の形態１では、枠体７と天井面２０の間に空間を設けて設置したが、屋外用端末部材２３が軒天２２と干渉しない場合は、空間を設けずに設置することにより、更に室内の美観を向上することができる。
【００７４】
なお、実施の形態１では、換気の形態に給気換気を用いたが、給気換気にかえて同時給排換気や排気換気を用いてもよく、その効果に差異を生じない。
【００７５】
なお、実施の形態１では、非居住部分である物入れに装置本体を設置したが、納戸、クローゼット、押入れ、トイレに設置してもよく、その効果に差異を生じない。
【００７６】
（実施の形態２）
図３および図４に示すように、下側面にフィルター着脱用開口２５を設けた枠体７Ａ内に備えた粗塵フィルター２６と微細なほこりを吸着する静電気帯電フィルター２７の２段構成からなるフィルター９Ａを、粗塵フィルター２６の上流側に虫の死骸を保持する虫受けポケット２８を備えたフィルターユニット２９として一体の形成し、枠体７Ａ下側面より工具を用いず着脱自在に構成する。
【００７７】
上記構成において、室内の高所に装置本体１２を設置した場合にも、容易にフィルター９Ａのメンテナンスを行うことすることができる。
【００７８】
また、屋外空気に含まれる粉塵の濾過を、虫や土埃等の比較的大きな粉塵を濾過する圧力損失の小さな粗塵フィルター２６と花粉やディーゼル粉塵などの微細な粉塵を濾過するやや圧力損失の大きな静電気帯電フィルター２７に分離することとなり、静電フィルター２７が目詰まりに至るまでの時間を長くすることができ、フィルター９Ａのメンテナンスの周期を長くすることのことができる。
【００７９】
（実施の形態３）
図５に示すように、粗塵フィルター２６Ａ通過後の給気空気に、高電圧荷電装置３０を通した後、下流側に静電気帯電フィルターまたは高電圧を印加した荷電フィルター３１を配設する。
【００８０】
上記構成において、高電圧荷電装置３０により花粉やディーゼル粉塵などの微細な粉塵を帯電させた後、比較的圧力損失の小さな静電気帯電フィルターまたは高電圧を印加した荷電フィルター３１で濾過することとなり、圧力損失の小さなフィルターでありながら効率のよいフィルター９Ｂとなるため、空気搬送のロスを少なくすることができる。
【産業上の利用可能性】
【００８１】
本発明にかかる換気装置は、装置本体と屋外を壁に開設した開口を通じて行い、エクステリアの美観を向上や、建物の設計において天井をふかすなどの配慮を不要とした施工を可能とし、複数の居室の換気をダクトを通して行うことで、フィルター等のメンテナンス箇所を減らすことができるという効果を有し、給排気型換気装置や排気型換気装置等にも有用である。
【図面の簡単な説明】
【００８２】
【図１】本発明の実施の形態１の換気装置の設置形態を示す建物断面図
【図２】同装置本体の断面図
【図３】本発明の実施の形態２の装置本体の断面図
【図４】同装置本体の斜視図
【図５】本発明の実施の形態３の装置本体の断面図
【図６】従来の換気装置の設置形態を示す建物断面図
【図７】従来の他の換気装置の設置形態を示す建物平面図
【符号の説明】
【００８３】
１      物入れ
２      屋外
３      壁
４      給気口
５      シャッター
６      開口
７      枠体
７Ａ    枠体
８      送風装置
９      フィルター
９Ａ    フィルター
９Ｂ    フィルター
１０    手前側空間
１１    吸い込み側
１２    装置本体
１３    ダクト接続口
１４    天井裏
１５    分岐箱
１６    第１のダクト
１７    居室
１８    第２のダクト
１９    給気吐出口
２１    ダクトカバー
２６    粗塵フィルター
２６Ａ  粗塵フィルター
２７    静電気帯電フィルター
３０    高電圧荷電装置
３１    荷電フィルター
【図１】
2008008501.tif 000003
【図２】
2008008501.tif 000004
【図３】
2008008501.tif 000005
【図４】
2008008501.tif 000006
【図５】
2008008501.tif 000007
【図６】
2008008501.tif 000008
【図７】
2008008501.tif 000009